(57)【要約】【課題】  収納物の上方突出部を合成樹脂フィルム又はシートに形成した柔軟な上向凸部で被覆することにより苺等の収納物の損傷を防止することを目的とする。【解決手段】  青果物又は果実等の収納物の各々下部を複数配列収納可能な上面開口有底容器を設け、上記有底容器の上面開口部を被覆するための柔軟性のある合成樹脂フィルム又はシート（被覆材）に、上記配列収納物の各々上部を被覆し得る柔軟性のある上向凸部を塑性変形により複数成形し、上記合成樹脂フィルム又はシートの外周縁を上記有底容器の外側面に垂下附着させることにより構成される。【選択図】  図１
2010006413.tif 000002
【特許請求の範囲】
【請求項１】
青果物又は果実等の収納物の各々下部を複数配列収納可能な上面開口有底容器の上面開口部を被覆するための柔軟性のある合成樹脂フィルム又はシートによる被覆材であって、
上記被覆材のフィルム又はシート面に、上記容器内への配列収納物の各々上部を被覆し得る柔軟性のある上向凸部を塑性変形により複数成形したものであることを特徴とする被覆材。
【請求項２】
青果物又は果実等の収納物の各々下部を複数配列収納可能な上面開口有底容器を設け、
上記有底容器の上面開口部を上記被覆材で被覆することにより、上記配列収納物の各々上部を上記上向凸部にて被覆し得るように構成し、
かつ上記被覆材の外周縁を上記有底容器の外側面に垂下附着させることにより構成される請求項１記載の被覆材を使用した収納物被覆容器。
【請求項３】
上記上向凸部を上記被覆材の縦横方向に複数配列成形し、
上記被覆材における隣接する上記上向凸部間の境界部から被覆材の外周方向に延長した外周縁端部を、上記有底容器の外側面に垂下附着させる請求項２記載の収納物被覆容器。
【請求項４】
上記被覆材の外周縁と上記有底容器外側面とを点溶着により附着させる請求項２又は３記載の収納物被覆容器。
【請求項５】
上記被覆材の外周縁と上記有底容器外側面とを粘着テープを介して附着させる請求項２又は３記載の収納物被覆容器。
【請求項６】
上記被覆材と上記有底容器外側面との附着箇所は、
上記有底容器の対向する外側面上の対称位置であって、これら対称位置の附着箇所を上記被覆材の表面に沿って結ぶ距離が、最短距離となるような位置である請求項２〜５の何れかに記載の収納物被覆容器。
【請求項７】
上記被覆材としての合成樹脂フィルム又はシートは、その厚みが１０μｍ〜３００μｍである請求項２〜６の何れかに記載の収納物被覆容器。
【発明の詳細な説明】
【技術分野】
【０００１】
本発明は皿状又は上面開口箱状容器内に下部を収納配列した青果物又は果実等の露出上部をフィルム等で被覆する被覆材及びそれを使用した収納物被覆容器に関するものである。
【背景技術】
【０００２】
従来、苺、リンゴ、桃、トマト等のほぼ球形青果物の下部を皿状又は上面開口箱状容器に並列収納し、上部を合成樹脂フィルム又は成形体で被覆する包装が用いられた（例えば特許文献１）。
【０００３】
上記球形青果物の下部はそれぞれ皿状容器内に収納支持され、上部は上方に半球部分が突出するため柔軟な平坦フィルム（例えば特許文献１、図９）で被覆したが、果実等の容器上突出部（上面）は平坦フィルムで下方に押えられるため、果実等とフィルムとの接触部に傷みや変形が生じ易いという問題がある。
【０００４】
硬質樹脂製の蓋を凸状に成形して複数の凸状部を形成し、該凸状部分に収納青果物（苺）の上部を収納して変形や崩れを防止するものも提案されているが、軟青果物（苺、トマト等）は移動時硬質樹脂による蓋と接触により擦過傷を生じ易いという問題がある（例えば特許文献１、図１）。
【０００５】
【特許文献１】特開２００５−１５３９３４号
【発明の開示】
【発明が解決しようとする課題】
【０００６】
本発明は苺、トマト等の柔軟青果物等の収納物の下部を合成樹脂皿状容器内に並べて収納し、該収納物の上方突出部を合成樹脂フィルム又はシートに形成した柔軟な上向凸部で被覆し、汚損を防止し、新鮮さを保持し得る被覆材を提供すると共に、上記被覆材により上記青果物のそれぞれ上部を安全に被覆して該青果物を安全に包装支持し得る収納物被覆容器を提供することを目的とする。
【課題を解決するための手段】
【０００７】
上記の目的を達成するため本発明は、
第１に、青果物又は果実等の収納物の各々下部を複数配列収納可能な上面開口有底容器の上面開口部を被覆するための柔軟性のある合成樹脂フィルム又はシートによる被覆材であって、上記被覆材のフィルム又はシート面に、上記容器内への配列収納物の各々上部を被覆し得る柔軟性のある上向凸部を塑性変形により複数成形したものであることを特徴とする被覆材により構成される。
【０００８】
よって、このような被覆材を使用して青果物等が複数配列収納された上面開口有底容器の上面を被覆し、青果物等の上部を対応する上向凸部で被覆し、被覆材の外周縁を容器外側面に附着させることにより、青果物等を損傷することなく包装し得る。
【０００９】
第２に、青果物又は果実等の収納物の各々下部を複数配列収納可能な上面開口有底容器を設け、上記有底容器の上面開口部を上記被覆材で被覆することにより、上記配列収納物の各々上部を上記上向凸部にて被覆し得るように構成し、かつ上記被覆材の外周縁を上記有底容器の外側面に垂下附着させることにより構成される上記第１記載の被覆材を使用した収納物被覆容器により構成される。
【００１０】
合成樹脂フィルム又はシートによる被覆材の外周縁と上記有底容器の外側面に垂下附着する箇所は、例えば外周縁端部（３ｂ１〜３ｂ１０）に対応する接合部（４）とすることができる。このように構成すると、苺等の収納物の上部は合成樹脂フィルム又はシートの柔軟性のある上向凸部により被覆されるので、平面状のフィルムを収納物上面全体に被覆する場合に比較して、被覆時にフィルム面から収容物上部に加わる圧力を軽減して苺等の収納物の損傷を防止することができる。
【００１１】
第３に、上記上向凸部を上記被覆材の縦横方向に複数配列成形し、上記被覆材における隣接する上記上向凸部間の境界部から被覆材の外周方向に延長した外周縁端部を、上記有底容器の外側面に垂下附着させる上記第２記載の収納物被覆容器により構成される。
【００１２】
上記被覆材（合成樹脂フィルム又はシート）における隣接する上記上向凸部間の境界部から被覆材（フィルム又はシート）の外周方向に延長した外周縁端部は、例えば外周縁端部（３ｂ１〜３ｂ１０）により構成することができる。外周縁端部を上記有底容器の外側面に垂下附着させる部分は、例えば上記外周縁端部（３ｂ１〜３ｂ１０）に対応する接合部（４）とすることができる。このように構成すると、合成樹脂フィルム又はシートを附着する場合は、対向する外周縁端部に対応する一対の接合部（４，４）を多少下向きに牽引してフィルム又はシートを張設状態とするが、牽引される箇所が境界部からフィルム又はシートの外周方向に延長した部分であるため、フィルム又はシート上面から下向きに収容物上部に加わる圧力を軽減し得て苺等の収容物の損傷を防止することができる。
【００１３】
第４に、上記被覆材の外周縁と上記有底容器外側面とを点溶着により附着させる上記第２又は３記載の収納物被覆容器により構成される。
【００１４】
第５に、上記被覆材の外周縁と上記有底容器外側面とを粘着テープを介して附着させる上記第２又は３記載の収納物被覆容器により構成される。
【００１５】
第６に、上記被覆材と上記有底容器外側面との附着箇所は、上記有底容器の対向する外側面上の対称位置であって、これら対称位置の附着箇所を上記被覆材の表面に沿って結ぶ距離が、最短距離となるような位置である上記第２〜５の何れかに記載の収納物被覆容器により構成される。
【００１６】
上記最短距離とは例えば仮想線（Ｌ１）を結ぶ外周縁端部（３ｂ１と３ｂ８）との距離をいう。このように構成すると、フィルム又はシート面は上向凸部の頂点部ではなく境界部を結ぶ仮想線上において互いに反対方向に牽引されることになるので、フィルム又はシート上面から下向きに収容物上部に加わる圧力を軽減し得て苺等の収容物の損傷を防止することができる。
【００１７】
第７に、上記被覆材としての合成樹脂フィルム又はシートは、その厚みが１０μｍ〜３００μｍである上記第２〜６の何れかに記載の収納物被覆容器により構成される。
【００１８】
このように構成すると、上記フィルム又はシートは上向凸部を含めて極めて薄く柔軟であるため、折り畳むこともでき、収納運搬に便利である。
【００１９】
従って上記収納物の各々下部を複数配列収納した皿状容器等の上面開口有底容器の上部に被覆材を覆せ、該被覆材に形成した柔軟性のある上向凸部を上記収納物の上部に被覆し、上記被覆材の外周縁を上記容器の外側面に垂下し、同外側面と上記外周縁とを隣接する上向凸部の中間部、即ち境界部において例えば点状に加熱溶着（点溶着）等して上記外周縁を上記容器の外側面に附着させる。
【００２０】
上記点溶着等に代り粘着テープを上記外周縁と上記外側面とに掛け渡して附着させることができる。
【００２１】
そして上記被覆材の外周縁を上記容器の外側面に沿って下向に若干牽引することによって、上記隣接上向凸部の境界部分が皿状容器の対向外側面側に縦横に牽引されるが、上記被覆材の上記上向凸部に強いテンション（引張り力）が働くことなく保持され、内部の青果物等の収納物上部に上向凸部のフィルム又はシートが下向きに強く圧着することはなく上記収納物上部が損傷を受けるおそれはない。
【発明の効果】
【００２２】
本発明の被覆材によると、柔軟な上向凸部により容器に配列された収納物上部を被覆することができるので、青果物等の被覆材として用いることで、青果物等の損傷防止等の極めて優れた機能を発揮し得るものである。
【００２３】
本発明の収納物被覆容器は、上面開口有底容器内に収納配列された柔軟青果物等の収納物に上記被覆材を冠せた状態において、収納物上部に上記被覆材の上向凸部が被覆されるので、収納物を確実に保持し得ると共に、フィルム又はシートの被覆により収納物に対して加わる圧力を軽減し得て、果実又は青果物等の収納物の損傷を効果的に防止し得るものである。
【発明を実施するための最良の形態】
【００２４】
苺、トマト等のほぼ球形青果収納物１の下部１”を複数縦横に配列収納可能な合成樹脂製方形皿状容器等の上面開口有底容器２を形成する（図１、図３参照）。この上面開口有底容器２は硬質な合成樹脂により形成されており、その底面は平面状に形成し、衝撃吸収用のウレタンマット等の弾性材を敷いてもよいし、底面に果実等の下部（下半部）を収納可能な下向き凹部を複数形成してもよい。尚、上記ウレタンマット等の弾性材は必ずしも必要としない。
【００２５】
上記上面開口有底容器２の上面開口部２’を被覆する熱可塑性樹脂からなる合成樹脂柔軟フィルム又はシート（被覆材としての合成樹脂フィルム又はシート）３（図３参照）に、上記容器２内に縦横に配列した上記収納物１に対応する位置に、これらの収納物１のそれぞれ上部（上半部）１’を被覆する上向凸部３’を複数塑性変形により成形する。
【００２６】
この合成樹脂フィルム又はシート（被覆材）３は、その厚さが１０μｍ〜３００μｍの極めて薄い柔軟性のあるフィルム又はシートであって、その材質はポリエチレン、ポリプロピレン、ポリウレタン、ポリスチレン等の薄膜透明又は半透明の熱可塑性フィルム又はシートが用いられる。
【００２７】
上記合成樹脂フィルム又はシート３は真空成型、真空圧空成型により形成することができる。例えば真空成型は図５に示すように、ヒータ１０で事前に合成樹脂フィルム又はシート３を加熱し（図５（ａ））、その後同図（ｂ）に示すように、網状板６上に載置された上面弧球形金型１１の上方に、上記フィルム又はシート３を配置し、該金型１１の下方から真空吸引（矢印ｄ）することにより略半球形状の上向凸部３’を塑性変形により形成する。このように形成された合成樹脂フィルム又はシート３は成型後も上向凸部３’を含めて全体として柔軟性があり、折り畳むことも可能である。
【００２８】
尚、成形時に合成樹脂フィルム又はシート３の周縁をフィルム又はシート面に対して直角方向に折り曲げて係合用折曲部３ｆを形成し、上記フィルム又はシート３の周囲を折り曲げることなく係合用折曲部３ｆを上記容器に被覆して係合用折曲部３ｆを容器２の外側面２”に附着するように構成しても良い。
【００２９】
上記合成樹脂フィルム又はシート３の四方の外周縁３”，３”，３”，３”は上記容器２の四方の外側面２”，２”，２”，２”に沿って垂下し、上記外周縁３”，３”，３”，３”と上記外側面２”、２”、２”、２”を重合する（図１，図４参照）。
【００３０】
その状態において複数の上向凸部３’は各々上記収納物１の各々上部（上半部）１’を被覆し、隣接する上向凸部３’，３’の境界部３ａは、図１、図４に示すように上記容器２の外側面２”のほぼ上縁水準であって、縦横の境界部３ａを延長した上記外周縁３”と上記外側面２”とを複数の接合部４において加熱溶着（点溶着）し（図２、図４参照）、上記境界部３ａを縦横に牽引するが牽引によって上向凸部３’，３’が過度に変形することはなく内部の収納物１を過度に押圧するおそれはない。
【００３１】
即ち、図３に示すように上記上向凸部３’を縦横方向に複数配列成形し（実施形態では縦４個、横３個の計１２個）、上記合成樹脂フィルム又はシート３における隣接する上記上向凸部３’間の略平面状の境界部３ａから同フィルム又はシート３の外周方向に縦横に延長した外周縁端部３ｂ１〜３ｂ１０を、上記有底容器２の外側面２”に垂下附着させる（図１参照）。
【００３２】
また、上記被覆材３は、図１に示すように、その表面（上向凸部３’、境界面３ａ等）に複数の透孔７を貫設することが好ましい。このように透孔７を設けることにより、容器２内の空気を外部に逃がすことができる。
【００３３】
上記外周縁端部３ｂ１〜３ｂ１０は、上記合成樹脂フィルム又はシート３における隣接する上記上向凸部３’間の境界部３ａから縦横方向に同フィルム又はシート３の外周方向に延長した仮想延長線Ｌ上と外周縁３”との交点近傍とする。そして、上記外周縁端部３ｂ１〜３ｂ１０付近の接合部４を上記外側面２”に垂下して附着するように構成する。
【００３４】
このように合成樹脂フィルム又はシート３と有底容器２の外側面２”との接合部４を上記外周縁端部３ｂ１〜３ｂ１０付近とすることにより、接合時には、図３に示すように、上記仮想延長線Ｌに沿って対応する外周縁端部同士（例えば、外周縁端部３ｂ１と３ｂ８，外周縁端部３ｂ３と３ｂ６，外周縁端部３ｂ５と３ｂ９等）を外側方向（矢印Ａ，Ａ’方向、或いは矢印Ｂ，Ｂ’方向）にある程度牽引しながら、下方向（鉛直下方向、矢印Ｃ方向）に多少牽引し、互いに逆方向下向き（図４の矢印ｂ，ｂ方向）にある程度垂下牽引した状態で、各外周縁端部３ｂ１〜３ｂ１０に対応する１０箇所の接合部４（図１参照）において当該フィルム又はシート３を上記有底容器２の外側面２”に加熱溶着する。尚、合成樹脂フィルム又はシート３のコーナ部は三角状に折り曲げることが好ましい。
【００３５】
このように、上記仮想延線Ｌに沿って上記逆方向下向き（矢印ｂ，ｂ方向）に牽引することにより、牽引による下向き圧力が収納物１（苺）に直接加わることを極力少なくしつつ、合成樹脂フィルム又はシート３を確実に有底容器２に接着することができる。
【００３６】
上記附着箇所（接合部）として好ましい位置は、外周縁部３ｂ１と３ｂ８のように対応する接合部４，４間を結ぶ合成樹脂フィルム又はシート３の表面間の距離が最も短い距離となるような２点間である。即ち、上記合成樹脂フィルム又はシート３と上記有底容器外側面２”との附着箇所は、上記有底容器２の対向する外側面２”，２”上の対称位置（例えば外周縁端部３ｂ１と３ｂ８）であって、両方の附着箇所、即ち外周縁端部３ｂ１と３ｂ８に対応する一対の接合部４，４を上記合成樹脂フィルム又はシート３の表面に沿って結ぶ距離が、最短距離となるような位置とする。
【００３７】
このように、上記境界部３ａを延長した外周縁部３ｂ１〜３ｂ１０に対応する接合部４を垂下附着することで、フィルム又はシート３を矢印Ｃ方向（図４の矢印ｂ，ｂ方向）に牽引したとき、牽引箇所を結ぶ仮想延長線Ｌが各上向凸部３’の頂点部を通らないので、逆方向（矢印ｂ，ｂ方向）にかかるテンションは境界部３ａに最も大きく作用し、上向凸部３’には直接に作用しない。このため合成樹脂フィルム又はシート３が収納物１を上面から下向きに押圧する圧力を軽減して、苺等の収納物１の損傷を防止することができる。
【００３８】
本発明に係る収納物被覆容器は上述のように構成されるものであるから、まず上面開口有底容器２の底面にウレタンマット等を敷き、その上に収納物１（この場合苺とする）をその蔕を上向きにした状態で、縦４個、横３個、計１２個を整然と収納配列する（図３参照）。その後、上記の方法により上向凸部３’を形成した合成樹脂フィルム又はシート(被覆材)３を、図３のように上記収納物１（苺）の上面に位置させ、上記上向凸部３’と収納物１とを位置合わせして、合成樹脂フィルム又はシート３を収納物１（苺）上面に被覆する。
【００３９】
すると、合成樹脂フィルム又はシート３の各上向凸部３’の内部に上記各収納物１の上部（上半部）１’が各々入り込み、図１、図４に示すように、上記各収納物１（苺）の上部（上半部）１’が上記上向凸部３’により被覆された状態となる。ここで、上記収納物１と上記上向凸部３’は上向凸部３’が苺の上半部に密着した状態となっても良いし、上向凸部３’内側と苺表面との間に多少の隙間が形成される状態でも良い。
【００４０】
その後、上記境界部３ａから外周方向に延長した左右の対向する外周縁端部３ｂ１〜３ｂ１０を外側方向（矢印Ａ，Ａ’方向）及び下方向（矢印Ｃ方向）に多少牽引した状態で、接合部４を加熱溶着又は接着剤又は粘着テープ５で上記有底容器２の外側面２”に接合する（図１参照）。かかる牽引動作及び接合は、縦方向の３箇所の境界部３ａ，３ａ，３ａに対応する左右の外周縁端部３ｂ１と３ｂ８，３ｂ２と３ｂ７，３ｂ３と３ｂ６、及び横方向の２箇所の境界線３ａ，３ａに対応する各外周縁端部３ｂ４と３ｂ１０，３ｂ５と３ｂ９に各々対応する１０箇所の接合部４おいて行い、さらに合成樹脂フィルム又はシート３の４箇所のコーナ部３ｃにおける接合部４においても加熱溶着又は接着剤又は粘着テープ５による接合が行われる（図１参照）。
【００４１】
このように合成樹脂フィルム又はシート３を収納物１の上面に被覆することにより、収納物１（苺）の上半部１’は上向凸部３’により個別に被覆され、境界部３ａから外周方向に延長した外周縁端部３ｂ１〜３ｂ１０に対応する接合部４が接着等されているため、平面状のシートを収納物１（苺）上部に被覆する場合に比較して、各上向凸部３’の部分では、合成樹脂フィルム又はシート３によって収納物１（苺）の上面から下向きに加わる圧力が軽減され、合成樹脂フィルム又はシート３による収納物１（苺）の傷み、損傷、傷の発生を有効に防止することができる。
【００４２】
図６に示すものは、本発明に係る収納物被覆容器の他の実施形態であり、同図に示すように、上向凸部３’を縦方向に重合した状態で成形したものである。この場合の接合部は、横方向においては、上記の実施形態（図２）と同様に外周縁端部３ｂ４と３ｂ１０、外周縁端部３ｂ５と３ｂ９に対応する接合部４となるが、縦方向の接合部は、同図（ｂ）の上向凸部３’の頂上を通る仮想線Ｌ４（図６（ｂ））ではなく、重合する上向凸部３’間の最も低い部分（境界部３ａ）を通る仮想線Ｌ１に沿う外周縁部３ｂ１と３ｂ８、同じく最も低い部分（境界部３ａ）を通る仮想線Ｌ２に沿う外周縁部３ｂ２と３ｂ７、同じく仮想線Ｌ３に沿う外周縁部３ｂ３と３ｂ６に対応する接合部４とする。
【００４３】
即ち、外周縁部３ｂ１と３ｂ８のように対応する接合部４，４間を結ぶ合成樹脂フィルム又はシート３の表面間の距離が最も短い距離となるような２点間を接合部４，４として選択する（上記図１の実施形態も同様である）。即ち、上記合成樹脂フィルム又はシート３と上記有底容器外側面２”との附着箇所は、上記有底容器２の対向する外側面２”，２”上の対称位置（例えば外周縁端部３ｂ１と３ｂ８）であって、両方の附着箇所、即ち外周縁端部３ｂ１と３ｂ８に対応する一対の接合部４，４を上記合成樹脂フィルム又はシート３の表面に沿って結ぶ距離が、最短距離となるような位置とする。
【００４４】
これは、上記境界部３ａを延長した外周縁部３ｂ１〜３ｂ１０に対応する接合部４を垂下附着することで、矢印Ｃ方向（図４の矢印ｂ，ｂ方向）に牽引したとき、逆方向（矢印ｂ，ｂ方向）にかかるテンションは境界部３ａに最も大きく作用し、上向凸部３’には直接に作用しないため、合成樹脂フィルム又はシート３が収納物１を上面から下向きに押圧する圧力を軽減して、苺等の収納物１の損傷を防止するためである。
【００４５】
上記外周縁３”（接合部４）と外側面２”とは外側から加熱棒を当てて点溶着し（図２）、或は粘着テープ５によって附着させることができる（図１参照）。
【００４６】
図７に示すものは、本発明に係るさらに他の実施形態であり、合成樹脂フィルム又はシート（被覆材）３の横方向の２辺の縁部３ｄを短く形成し、当該縁部３ｄは容器２の外側面２”に附着させることなく、縦方向の２辺の縁部３ｅのみを容器の外側面２”にテープ又は点溶着等により附着するように構成したものである。このように構成すると、合成樹脂フィルム又はシート３の縦方向の２辺のみを附着するだけでよいため、青果物の被覆作業をより簡単にすることができる。
【００４７】
図８に示すものは、本発明に係る被覆材と容器２の接続方法の他の実施形態であり、容器２の上面開口部に全周に亘り外方向の水平縁２ａが形成されている場合は、上記合成樹脂フィルム又はシート３の外周縁３”を上記水平縁２ａ上面に附着８するように構成してもよい。この場合、上記水平縁２ａの面積より上記フィルム又はシート３の面積が広い場合は図８（ｂ）に示すように上記水平縁２ａにて附着８すると共に、上記フィルムまたはシート３の外周縁３”を折り曲げて容器２の外側面２”に附着８’しても良いし、水平縁２ａ部分は附着せずに、外周面２”のみに附着８’しても良い。
【００４８】
本発明は上述のように、被覆材（合成樹脂フィルム又はシート）３の柔軟な上向凸部３’により容器に配列された収納物上部を被覆することができるので、青果物等の被覆材として用いることで、青果物等の損傷防止等の極めて優れた機能を発揮し得るものである。
【００４９】
また本発明は、上面開口有底容器２内に収納配列された柔軟青果物等の収納物１に柔軟な合成樹脂フィルム又はシート（被覆材）３を冠せた状態において、収納物１上部に上記フィルム又はシート３の上向凸部３’が被覆されるので、収納物１を確実に保持し得ると共に、フィルム又はシート３の被覆により収納物１に対して加わる圧力を軽減し得て、果実又は青果物等の収納物１の損傷を効果的に防止し得るものである。
【００５０】
また、収納物１は上向凸部３’に上部を被覆されているので、安定しており、運搬移動中の揺れ等によるフィルム３と収納物との摩擦による損傷も生じ難いという効果を奏する。
【００５１】
また、外周縁３”を上記容器の外側面２”に垂下附着させて充分包装し、該包装を移動させても、収納青果物に圧力（矢印ｅ方向、図１０）や擦過等（矢印ｂ方向、図１０）による損傷を生ずるおそれがなく安全被覆を行い得る効果がある。
【産業上の利用可能性】
【００５２】
合成樹脂製四角形皿状容器等の上面開口有底容器２に上記収納物１を整然と並べ、その状態で透明の柔軟な合成樹脂フィルム又はシート（被覆材）３に形成した柔軟な上向凸部３’で上記収納物１を被覆し、これを例えば紙製包装箱に包装し得て収納物１即ち苺やさくらんぼ等の損傷を防止し、高品質な商品、高級品等の包装に適用することができる。
【図面の簡単な説明】
【００５３】
【図１】本発明の収納物被覆容器を示す斜視図である。
【図２】点溶着部（接合部）を示す合成樹脂フィルム又はシート（被覆材）の展開状態の平面図である。
【図３】苺の被覆包装を行う状態を示す分解斜視図である。
【図４】図１の一部縦断面図である。
【図５】（ａ）は合成樹脂フィルム又はシート（被覆材）の加熱状態を示す図、（ｂ）は真空成型により上向凸部を成型する状態を示す図である。
【図６】（ａ）は本発明の他の実施形態の点溶着部（接合部）を示す合成樹脂フィルム又はシート（被覆材）の展開状態の平面図、（ｂ）は（ａ）のＸ−Ｘ線断面図である。
【図７】本発明の収納物被覆容器の他の実施形態を示す斜視図である。
【図８】（ａ）、（ｂ）は同上被覆容器のさらに他の実施形態を示す側面断面図である。
【図９】従来の被覆包装状態の斜視図である。
【図１０】従来の被覆包装の縦断面図である。
【符号の説明】
【００５４】
１              収納物
１’            上部
２              上面開口有底容器
２’            上面開口部
２”            外側面
３              合成樹脂フィルム又はシート（被覆材）
３’            上向凸部
３”            外周縁
３ａ            境界部
３ｂ１〜３ｂ１０  外周縁端部
４              接合部
５              粘着テープ
【図１】
2010006413.tif 000003
【図２】
2010006413.tif 000004
【図３】
2010006413.tif 000005
【図４】
2010006413.tif 000006
【図５】
2010006413.tif 000007
【図６】
2010006413.tif 000008
【図７】
2010006413.tif 000009
【図８】
2010006413.tif 000010
【図９】
2010006413.tif 000011
【図１０】
2010006413.tif 000012